(57)【要約】      （修正有）【課題】茶葉の大きさや種類に応じたお茶の淹れ方が可能であり，お茶を受ける際の用具についても任意に選択可能な茶葉用ドリッパーを提供する。【解決手段】茶葉用ドリッパー１は，ドリッパーヘッド部材２と，ジョイント部材３と，脚部材４と，を備えている。ジョイント部材３は，壁部３ｃと，壁部３ｃの中央にその外周側に張り出して設けられたフランジ３ｆと，壁部３ｃの内部に中央よりも下側に位置して設けられた仕切り板３ｇと，仕切り板３ｇの上下面の中央に設けられた第一連結凸部３ａおよび第二連結凸部３ｂと，第一連結凸部３ａおよび第二連結凸部３ｂの周辺に形成された通液孔３ｈと，を備えている。ジョイント部材３は，フランジ３ｆを脚部材４に載せることによって当該脚部材４に静置され，上下をひっくり返して異なる形状のドリッパーヘッド部材を載置することにより，茶葉の種類に応じたドリップを可能とする。【選択図】図３
2018064731.tif 000002
【特許請求の範囲】
【請求項１】
ドリッパーヘッド部材と，ジョイント部材と，脚部材と，を備えた茶葉用ドリッパーであって，
前記ドリッパーヘッド部材は，
上面ならびに下面が開口し，前記上面から前記下面に向かって徐々に断面積が小さくなっているとともに，
前記ジョイント部材との連結部位に隙間をもって載置される連結凹部を備え，
前記ジョイント部材は，
前記ドリッパーヘッド部材の前記連結凹部が隙間をもって載置される連結凸部であって，その形状ないし大きさを異にする２種類の第一連結凸部と第二連結凸部を，上下それぞれに備えるとともに，
前記第一連結凸部と前記第二連結凸部の周囲に，当該第一連結凸部と当該第二連結凸部の形状ないし大きさに対応した高さを有する第一壁部と第二壁部をそれぞれ備え，かつ
前記第一連結凸部ないし前記第二連結凸部の周辺に，前記ドリッパーヘッド部材から供給される液体を通す一つ又は複数の通液孔を有しており，
前記脚部材は，
前記ジョイント部材が静置されるとともに，静置された前記ジョイント部材の下方に湯飲みなどをセットすることが可能な空間を有していることを特徴とする茶葉用ドリッパー。
【請求項２】
前記連結凹部の内面形状が，当該連結凹部が載置される前記第一連結凸部ないし前記第二連結凸部の外面形状と相似形に形成されていることを特徴とする請求項１に記載の茶葉用ドリッパー。
【請求項３】
前記通液孔が，前記第一連結凸部ないし前記第二連結凸部に重なって形成されていることを特徴とする請求項１又は２に記載の茶葉用ドリッパー。
【請求項４】
前記ドリッパーヘッド部材が，略逆円錐状あるいは略逆多角錐状のいずれかに形成されていることを特徴とする請求項１から３のいずれか１項に記載の茶葉用ドリッパー。
【請求項５】
前記第一連結凸部と前記第二連結凸部が，略円錐状あるいは略多角錐状のいずれかに形成されていることを特徴とする請求項１から４のいずれか１項に記載の茶葉用ドリッパー。
【請求項６】
前記連結凹部が，略円錐状あるいは略多角錐状のいずれかに形成されていることを特徴とする請求項５に記載の茶葉用ドリッパー。
【請求項７】
前記ドリッパーヘッド部材が，磁器製素材からなることを特徴とする請求項１から６のいずれか１項に記載の茶葉用ドリッパー。
【請求項８】
前記ジョイント部材が，木製素材からなることを特徴とする請求項１から７のいずれか１項に記載の茶葉用ドリッパー。
【発明の詳細な説明】
【技術分野】
【０００１】
本発明は，茶葉用ドリッパーに関する。
【背景技術】
【０００２】
日本においてお茶は，茶葉を急須に入れ，お湯を注いで作られる。この際，茶葉の大きさや種類などにより，適切な作り方をする必要がある。
【０００３】
日本においてお茶に用いられる茶葉は，生の茶葉から，蒸し工程と揉み工程，大きく分けてこれら２つの工程を経て製造される。
蒸しを比較的長時間行って製造される普通蒸し・深蒸し茶（以下，「深蒸し茶等」と略する）などは，茶葉そのものが細かくなる。
そのため，お湯を注いだ際，茶葉とお湯との接触面積を初めから大きく確保できるとともに，微量の粉がお茶に混じることとなる。結果として，お茶自体の味が出やすく，濃くなりやすい。
【０００４】
一方，蒸しを短時間で済ませる浅蒸し煎茶（あるいはかぶせ，玉露など。以下，「浅蒸し茶等」と略する）は，茶葉そのものが大きく，その後の揉み工程により，細かく巻かれ針のような状態となる。
そのため，お湯を注いだ際，初めはあまりお茶の成分が出ない状態であるが，徐々に急須内で茶葉が開き，お湯との接触面積が大きくなっていく。結果として，先の深蒸し茶等と比較すると，お茶自体の味が徐々に出るものであり，味もそれほど濃いものとはなりにくい。
【０００５】
これらの事情から，深蒸し茶等と浅蒸し茶等など，茶葉の大きさや種類により，お湯との接触時間の調整を行うことが本来ならば好ましく，それぞれに適したお茶の出し方や用いるべき急須の種類などがある。
【０００６】
また急須とは異なり，コーヒーメーカーのように，ドリップする形でお茶を淹れる技術が提案されている（特許文献１）。
【先行技術文献】
【特許文献】
【０００７】
【特許文献１】特開２０１５−１９８６９１号公報
【発明の概要】
【発明が解決しようとする課題】
【０００８】
特許文献１に開示されている先行技術は，漏斗状の用具本体にペーパーフィルターを静置し，このフィルター内に茶葉を入れてお湯を注ぐことにより，お茶をドリップして楽しむことができる点において有用である。
しかるに，かかる先行技術において，課題を有することを発明者は発見した。
【０００９】
１つ目の課題は，茶葉の大きさや種類に応じた対応が難しい点である。
すなわち，お茶の真の味を楽しむのであれば，深蒸し茶等と浅蒸し茶等などのように，茶葉の大きさや種類によって用具本体の形状を変更し，お茶の出具合を調整できるようにすることが好ましい。
しかるに，先行技術は，用具本体の形状が一定であるため，茶葉の大きさや種類によってお茶の出し方を変更することができない点において，課題を有するものである。
【００１０】
もう１つの課題は，お茶を受ける際の用具の形状が限定される点である。
すなわち，先行技術においては，用具本体に，お茶が抜ける穴が３つ設けられている。これらの穴は，同一平面上に設けられており，また，抜けたお茶を誘導するための工夫もなされていない。そのため，注ぎ初めにおいては，重力によって勢いよく下方に流れていくが，徐々にその勢いがなくなると，張力によって穴から横方向に広がる形で流れ落ちていってしまう。結果として，流れ出るお茶を受ける容器が，用具本体と接触する形で構成されなければ，漏れなどが生じやすくなる。
さらにいうと，先行技術は，このような特徴から，お茶を勢いよく流すための構成に限定されがちであり，この点において，茶葉の広がりを待つことが必要な浅蒸し茶等で先行技術を用いることは，本来のお茶の味を楽しむことができないということにつながる。
【００１１】
上記事情を背景として，本発明では，茶葉の大きさや種類に応じたお茶の淹れ方が可能であり，お茶を受ける際の用具についても任意に選択可能な茶葉用ドリッパーの開発を課題とする。
【課題を解決するための手段】
【００１２】
発明者は，鋭意研究の結果，ドリッパーヘッド部材，ジョイント部材，脚部材，これら３つの部材からなる茶葉用ドリッパーに想到し，発明を完成させたものである。
【００１３】
すなわち，本発明においては，茶葉の大きさや種類により，形状ないし大きさが異なるドリッパーヘッド部材を使い分けることが可能である。ドリッパーヘッド部材は，ジョイント部材に隙間を持って嵌合・載置されるものであり，かつ，ジョイント部材は，上下反転させることにより異なる２種類の連結凸部を有するものである。このことから，ドリッパーヘッド部材とジョイント部材との連結部位の隙間の調整が可能であり，これにより，お茶の流れを調整して，茶葉の種類に応じたドリップを可能とすることができる。
加えて，ジョイント部材においては，お茶が流れ込む穴が，連結部として設けられた連結凸部の周辺に設けられている。これにより，お茶が張力に応じて流れる際も，ドリッパーヘッド部材が載置される連結凸部と反対側に設けられたもう一方の連結凸部に接触しつつ，その頂点からお茶が下方へ流れ込むこととなり，不用なお茶の拡散を防止することが可能となる。
さらに，ドリッパーヘッド部材とジョイント部材の間の僅かな隙間は，注がれたお湯がそのままドリッパーヘッド部材にたまった形で調整することを可能とするものであり，その後，ドリッパーヘッド部材を傾け，ジョイント部材との隙間を大きくすることにより，お茶を注ぎ込む構成とすることができるものである。
このような構成であるため，お茶を受ける容器は，ジョイント部材における連結凸部の下方にセットして用いればよく，ジョイント部材と接触させる必要もないので，任意の形状の容器を用いることができ，茶葉の種類に応じたドリップを可能とするものである。
【００１４】
本発明は，以下の構成からなる。
本発明の第一の構成は，ドリッパーヘッド部材と，ジョイント部材と，脚部材と，を備えた茶葉用ドリッパーであって，
前記ドリッパーヘッド部材は，
上面ならびに下面が開口し，前記上面から前記下面に向かって徐々に断面積が小さくなっているとともに，
前記ジョイント部材との連結部位に隙間をもって載置される連結凹部を備え，
前記ジョイント部材は，
前記ドリッパーヘッド部材の前記連結凹部が隙間をもって載置される連結凸部であって，その形状ないし大きさを異にする２種類の第一連結凸部と第二連結凸部を，上下それぞれに備えるとともに，
前記第一連結凸部と前記第二連結凸部の周囲に，当該第一連結凸部と当該第二連結凸部の形状ないし大きさに対応した高さを有する第一壁部と第二壁部をそれぞれ備え，かつ
前記第一連結凸部ないし前記第二連結凸部の周辺に，前記ドリッパーヘッド部材から供給される液体を通す一つ又は複数の通液孔を有しており，
前記脚部材は，
前記ジョイント部材が静置されるとともに，静置された前記ジョイント部材の下方に湯飲みなどをセットすることが可能な空間を有していることを特徴とする茶葉用ドリッパーである。
【００１５】
本発明の第二の構成は，前記連結凹部の内面形状が，当該連結凹部が載置される前記第一連結凸部ないし前記第二連結凸部の外面形状と相似形に形成されていることを特徴とする第一の構成に記載の茶葉用ドリッパーである。
本発明の第三の構成は，前記通液孔が，前記第一連結凸部ないし前記第二連結凸部に重なって形成されていることを特徴とする第一又は第二の構成に記載の茶葉用ドリッパーである。
本発明の第四の構成は，前記ドリッパーヘッド部材が，略逆円錐状あるいは略逆多角錐状のいずれかに形成されていることを特徴とする第一から第三の構成に記載の茶葉用ドリッパーである。
本発明の第五の構成は，前記第一連結凸部と前記第二連結凸部が，略円錐状あるいは略多角錐状のいずれかに形成されていることを特徴とする第一から第四の構成に記載の茶葉用ドリッパーである。
本発明の第六の構成は，前記連結凹部が，略円錐状あるいは略多角錐状のいずれかに形成されていることを特徴とする第五の構成に記載の茶葉用ドリッパーである。
本発明の第七の構成は，前記ドリッパーヘッド部材が，磁器製素材からなることを特徴とする第一から第六の構成に記載の茶葉用ドリッパーである。
本発明の第八の構成は，前記ジョイント部材が，木製素材からなることを特徴とする第一から第七の構成に記載の茶葉用ドリッパーである。
【発明の効果】
【００１６】
本発明により，茶葉の大きさや種類に応じたお茶の淹れ方が可能であり，お茶を受ける際の用具についても任意に選択可能な茶葉用ドリッパーの提供が可能となった。
すなわち，本発明の茶葉用ドリッパーは，お茶をドリップするというコンセプトに基づいた製品であり，お茶の真の味を楽しむことが可能であり，また，磁器製素材や木製素材などを用いてデザインに優れた製品とすることにより，新たなライフスタイルを提供しうるものである。
【図面の簡単な説明】
【００１７】
【図１】本発明の一実施の形態における茶葉用ドリッパーの構成を示す斜視図
【図２】本発明の一実施の形態における茶葉用ドリッパーの構成を示す正面図
【図３】図２のIII−III線矢視断面図
【図４】図３のIV−IV部拡大図
【図５】本発明の一実施の形態における茶葉用ドリッパーの構成を示す左側面図
【図６】本発明の一実施の形態における茶葉用ドリッパーの構成を示す右側面図
【図７】本発明の一実施の形態における茶葉用ドリッパーの構成を示す平面図
【図８】本発明の一実施の形態における茶葉用ドリッパーの構成を示す底面図
【図９】本発明の一実施の形態における茶葉用ドリッパーの構成部材であるジョイント部材の使用方法を示す説明図
【図１０】本発明の一実施の形態における茶葉用ドリッパーの他の使用態様を示す断面図
【図１１】本発明の茶葉用ドリッパーの構成部材であるドリッパーヘッド部材の試作例の図（（ａ）は平面図，（ｂ）は底面図，（ｃ）は斜視図）
【図１２】本発明の茶葉用ドリッパーの構成部材であるジョイント部材の試作例の図（（ａ）は平面図，（ｂ）は底面図）
【図１３】本発明の茶葉用ドリッパーの構成部材である脚部材の試作例の斜視図
【図１４】脚部材の試作例にジョイント部材の試作例を静置した状態の斜視図（（ａ）は頂角が鋭角のドリッパーヘッド部材を連結する場合，（ｂ）は頂角が鈍角のドリッパーヘッド部材を連結する場合）
【図１５】ドリッパーヘッド部材の試作例，ジョイント部材の試作例，脚部材の試作例を組み合わせた状態の斜視図
【発明を実施するための形態】
【００１８】
以下，好適な実施の形態を用いて本発明をさらに具体的に説明する。但し，下記の実施の形態は本発明を具現化した例に過ぎず，本発明はこれに限定されるものではない。
【００１９】
＜＜Ｉ．茶葉用ドリッパーの概要＞＞
本発明の茶葉用ドリッパーは，ドリッパーヘッド部材，ジョイント部材，脚部材，これら３つの部材を備えている。そして，これらの部材を組み合わせることにより，茶葉用ドリッパーとして構成されるものであり，下記の一連の流れにより，お茶を淹れることができる。
(1)  茶葉の種類に応じ，適切な形状ないし大きさのドリッパーヘッド部材を選択する。
(2)  選択したドリッパーヘッド部材に応じて，ジョイント部材の設置方向（上向き，下向きのいずれか）を定め，脚部材とともに茶葉用ドリッパーを設置する。
(3)  ジョイント部材の下方に，ドリップされる飲料の受け（湯呑やティーカップなど）をセットする。
(4)  ドリッパーヘッド部材に，必要に応じてペーパーフィルターや茶こしを静置するとともに，茶葉を入れる。
(5)  茶葉にお湯を注ぐ。
(6)  ドリッパーヘッド部材にお湯がたまり，1〜3分ほど蒸らしたのち，ドリッパーヘッド部材を傾けることにより，一気にお茶がジョイント部材の中心から流れ落ちる。もしくは，ジョイント部材の中心から，お茶がたれるように滴下し，ドリップされる。
【００２０】
なお，本発明の茶葉用ドリッパーは，理想的には，いわゆる緑茶を淹れるのに用いることが好ましいが，これに限定する趣旨ではない。すなわち，本発明の茶葉用ドリッパーを用いて，紅茶やウーロン茶など，茶葉としてドリップされる他の種類のものをドリップしても構わない。
【００２１】
ドリッパーヘッド部材は，後述するジョイント部材に隙間をもって載置され，茶葉が入れられるとともに，お湯が注がれる役割を果たすものである。ドリッパーヘッド部材は，かかる役割を果たす限り，特に限定されるものではなく，種々の形状ないし大きさのものを採用することができる。
【００２２】
ドリッパーヘッド部材は，例えば，図１，図４，図１１等に示すような形状とすればよい。すなわち，ドリッパーヘッド部材は，上記のような役割を果たすための形状として，下記の特徴ないし構成を有するものである。
(1)  茶葉を入れ，かつ，お湯を注ぐ必要があるため，上面が開口している。
(2)  中心部に，茶葉とお湯が一定時間接触するための空間を有している。この空間については，お湯がしっかりと茶葉に接触し，かつ，お湯が下方向に滴下しやすくなるように，下方向に徐々に狭くなっている。すなわち，上面（開口部）から下方向に向かって徐々に断面積が小さくなっている。このような形状としては，例えば，略逆円錐状もしくは略逆多角錐状の形状とすればよい。
(3)  ジョイント部材の連結凸部に対応した，連結凹部を下部に備える。連結凹部は，連結凸部の形状に応じて，略円錐状もしくは略多角錐状の形状とすることができる。
(4)  前記空間と連結凹部との連結部分に，お湯が滴下するための中心穴を備える。
【００２３】
ジョイント部材は，脚部材に静置され，かつ，上下をひっくり返して異なる形状のドリッパーヘッド部材を載置することにより，茶葉の種類に応じたドリップを可能とする役割を果たす。ジョイント部材は，かかる役割を果たす限り，特に限定されるものではなく，種々の形状ないし大きさのものを採用することができる。
【００２４】
ジョイント部材は，例えば，図１，図４，図１２等に示すような形状とすればよい。すなわち，ジョイント部材は，上記のような役割を果たすための形状として，下記の特徴ないし構成を有するものである。
(1)  ドリッパーヘッド部材の連結凹部に対応する，形状ないし大きさを異にする２種類の連結凸部（第一連結凸部，第二連結凸部）を，上下それぞれの面に備える。連結凸部の外面形状は，連結凹部の内面形状と相似形に形成されていればよく，例えば，略円錐状もしくは略多角錐状の形状とすればよい。
(2)  前記第一連結凸部と前記第二連結凸部の周囲に，当該第一連結凸部と当該第二連結凸部の形状ないし大きさに対応した高さを有する第一壁部と第二壁部をそれぞれ備える。
(3)  前記第一連結凸部ないし前記第二連結凸部の周辺に，前記ドリッパーヘッド部材から供給される液体を通す一つ又は複数の通液孔を有している。
【００２５】
本発明において，前記通液孔は，前記第一連結凸部ないし前記第二連結凸部に重なって形成されていることが好ましい。かかる好ましい構成によれば，ドリッパーヘッド部材の中心穴を通じて流れ出てきた抽出液を下側の連結凸部に沿わせ，当該下側の連結凸部の頂点から下方へ流れ落とすことが容易となり，不用な抽出液の拡散を防止することが可能になるという効果が得られる。加えて，かかる構成により，抽出液を受ける容器は，ジョイント部材の下側の連結凸部の下方にセットして用いればよく，任意の形状の容器を用いることが可能となる。
通液孔と第一連結凸部ないし第二連結凸部との重なりについては，通液孔の大きさや個数などを考慮し適宜調整することが可能であるが，典型的には，通液孔の断面積の３分の１ほどを重ねるなどすればよい。
【００２６】
本発明においては，ドリッパーヘッド部材の素材に磁器製素材を，ジョイント部材の素材に木製素材をそれぞれ用いることが好ましい。
かかる好ましい構成によれば，陶磁器や木材・漆といった自然素材を用いながらも，お茶等を適度にドリップしうる構成とすることが可能となることから，本発明の茶葉用ドリッパーの性能ないし付加価値を向上させることができるという効果が得られる。
【００２７】
脚部材は，前記ジョイント部材が静置されるとともに，静置された前記ジョイント部材の下方に，下側の連結凸部からの抽出液を受けるための湯呑などをセットすることが可能な空間を有するものである。脚部材は，これらの役割を果たす限り，特に限定されるものではなく，種々の形状ないし大きさのものを採用することができる。
脚部材は，典型的には，例えば，図１，図２，図５から図８，図１３等に示すような形状とすればよい。
【００２８】
＜＜II．実施の形態＞＞
＜茶葉用ドリッパーの構成＞
まず，本発明の一実施の形態における茶葉用ドリッパーの構成について，図１から図８を参照しながら説明する。
【００２９】
図１は本発明の一実施の形態における茶葉用ドリッパーの構成を示す斜視図，図２は当該茶葉用ドリッパーの構成を示す正面図，図３は図２のIII−III線矢視断面図，図４は図３のIV−IV部拡大図，図５は当該茶葉用ドリッパーの構成を示す左側面図，図６は当該茶葉用ドリッパーの構成を示す右側面図，図７は当該茶葉用ドリッパーの構成を示す平面図，図８は当該茶葉用ドリッパーの構成を示す底面図である。
【００３０】
図１から図８に示すように，本実施の形態の茶葉用ドリッパー１は，磁器製素材からなるドリッパーヘッド部材２と，木製素材からなるジョイント部材３と，金属製素材からなる脚部材４と，を備えている。そして，これらドリッパーヘッド部材２，ジョイント部材３，脚部材４を組み合わせることにより，茶葉用ドリッパー１として構成される。
【００３１】
ドリッパーヘッド部材２は，上面ならびに下面が開口し，上面から下面に向かって徐々に断面積が小さくなっており，茶葉が入れられるとともに，お湯が注がれる役割を果たすものである。より具体的には，ドリッパーヘッド部材２は，上下端が開口した中空の略逆円錐状に形成されている。ここで，中空部分は，茶葉とお湯が一定時間接触するための空間としての役割を果たし，中空部分が略逆円錐状に形成されていることにより，お湯がしっかりと茶葉に接触し，かつ，お湯が下方向に滴下しやすくなる。
また，ドリッパーヘッド部材２には，その下端部に連結凹部２ａが設けられている。この連結凹部２ａは，ジョイント部材３の後述する第一連結凸部３ａに隙間をもって載置され，これにより，ドリッパーヘッド部材２がジョイント部材３に連結される。上記中空部と連結凹部２ａとの連結部分には，お湯が滴下するための中心穴２ｂが形成されている。
【００３２】
ジョイント部材３は，円筒状の壁部３ｃと，壁部３ｃの中央にその外周側に張り出して設けられた円板状のフランジ３ｆと，壁部３ｃの内部に中央よりも下側に位置して設けられた円板状の仕切り板３ｇと，仕切り板３ｇの上下面の中央に設けられた第一連結凸部３ａおよび第二連結凸部３ｂと，第一連結凸部３ａおよび第二連結凸部３ｂの周辺に形成された３つの通液孔３ｈと，を備えている。
ドリッパーヘッド部材２，２’の連結凹部２ａ，２ａ’の内面形状は，互いに大きさの異なる略円錐状に形成されている。そして，ジョイント部材３の第一連結凸部３ａと第二連結凸部３ｂの外面形状は，それぞれ，連結凹部２ａ，２ａ’の内面形状と相似形に形成されている（図９，図１０を参照）。
ジョイント部材３は，フランジ３ｆを脚部材４に載せることによって当該脚部材４に静置され，上下をひっくり返して異なる形状のドリッパーヘッド部材２又は２’を載置することにより，茶葉の種類に応じたドリップを可能とする役割を果たす（図９，図１０を参照）。
壁部３ｃは，仕切り板３ｇの上側と下側の，第一壁部３ｄと第二壁部３ｅとからなり，それぞれ，第一連結凸部３ａと第二連結凸部３ｂの形状ないし大きさに対応した高さを有している。
通液孔３ｈは，同一円周上に等間隔で，第一連結凸部３ａないし第二連結凸部３ｂに重なった状態で形成されている。より具体的には，通液孔３ｈの断面積の３分の１ほどが第一連結凸部３ａないし第二連結凸部３ｂに重なっている。これにより，ドリッパーヘッド部材２の中心穴２ｂを通じて流れ出てきた抽出液を，下側の第二連結凸部３ｂに沿わせ，当該下側の第二連結凸部３ｂの頂点から下方へ流れ落とすことが容易となり，不用な抽出液の拡散を防止することが可能になる。加えて，かかる構成により，抽出液を受ける容器は，ジョイント部材３の下側の第二連結凸部３ｂの下方にセットして用いればよく，任意の形状の容器を用いることが可能となる。
【００３３】
脚部材４は，ジョイント部材３が静置されるとともに，静置されたジョイント部材３の下方に，下側の第二連結凸部３ｂからの抽出液を受けるための湯飲みなどをセットすることが可能な空間を有している。
脚部材４は，ある程度の剛性を有する一本のステンレス線を折り曲げ加工することによって形成されており，平行な前後２つの水平桿４ａ，４ｂと，当該２つの水平桿４ａ，４ｂを支持する左右２つの支持部４ｃ，４ｄと，を備えている。そして，ジョイント部材３のフランジ３ｆを水平桿４ａ，４ｂに載置することにより，当該ジョイント部材３を脚部材４に静置できるようにされている。
【００３４】
＜茶葉用ドリッパーの使用方法＞
次に，本発明の一実施の形態における茶葉用ドリッパーの使用方法について，図９，図１０をも参照しながら説明する。
【００３５】
図９は本発明の一実施の形態における茶葉用ドリッパーの構成部材であるジョイント部材の使用方法を示す説明図，図１０は当該茶葉用ドリッパーの他の使用態様を示す断面図である。
【００３６】
深蒸し茶等を使ってお茶を淹れる場合には，図１から図９（ａ）に示すような，頂角が鋭角の，「一般的な急須」に対応するドリッパーヘッド部材２を選択する。
次いで，選択したドリッパーヘッド部材２に合うように，ジョイント部材３の設置方向を定める。この場合，ジョイント部材３は，より高さの高い第一壁部３ｄが上に来るように設置される（図３，図４ならびに図９（ａ）を参照）。そして，図１から図８に示すように，ジョイント部材３を，フランジ３ｆを脚部材４の水平桿４ａ，４ｂに載せることによって当該脚部材４に静置する。さらに，ドリッパーヘッド部材２の連結凹部２ａを，ジョイント部材３の第一連結凸部３ａに隙間をもって載置し，これにより，ドリッパーヘッド部材２をジョイント部材３に連結する。
次いで，ジョイント部材３の下方に，湯呑をセットする。
次いで，ドリッパーヘッド部材２に，必要に応じてペーパーフィルターや茶こしを静置するとともに，茶葉を入れる。
次いで，茶葉にお湯を注ぐ。これにより，ドリッパーヘッド部材２にお湯がたまることとなり，茶葉を十分に蒸らすことが可能となる。十分に蒸らした後，ドリッパーヘッド部材２を傾け，ジョイント部材３との隙間を大きくすることにより，ドリッパーヘッド部材２の中心穴２ｂを通じて流れ出てきた抽出液が，下側の第二連結凸部３ｂに沿って，当該下側の第二連結凸部３ｂの頂点から下方へ滴下し，ドリップされる。
なお，隙間をより大きく調整することにより，ドリッパーヘッド部材２での蒸らしをあまり行うことなく，ほとんどそのままの勢いで，ドリップする態様とすることができる。
【００３７】
浅蒸し茶等を使ってお茶を淹れる場合には，図９（ｃ），図１０に示すような，頂角が鈍角の，「平型急須」に対応するドリッパーヘッド部材２’を選択する。
次いで，選択したドリッパーヘッド部材２’に合うように，ジョイント部材３の設置方向を定める。この場合，図９（ｂ）に示すようにジョイント部材３を上下反転させ，ジョイント部材３を，より高さの低い第二壁部３ｅが上に来るように設置する（図９（ｃ），図１０を参照）。そして，図９（ｃ），図１０に示すように，ジョイント部材３を，フランジ３ｆを脚部材４の水平桿４ａ，４ｂに載せることによって当該脚部材４に静置する。さらに，ドリッパーヘッド部材２’の連結凹部２ａ’を，ジョイント部材３の第二連結凸部３ｂに隙間をもって載置し，これにより，ドリッパーヘッド部材２’をジョイント部材３に連結する。
次いで，ジョイント部材３の下方に，湯呑をセットする。
次いで，ドリッパーヘッド部材２’に，必要に応じてペーパーフィルターを静置するとともに，茶葉を入れる。
次いで，茶葉にお湯を注ぐ。これにより，ドリッパーヘッド部材２’にお湯がたまることとなり，茶葉を十分に蒸らすことが可能となる。十分に蒸らした後，ドリッパーヘッド部材２’を傾け，ジョイント部材３との隙間を大きくすることにより，ドリッパーヘッド部材２’の中心穴２ｂ’を通じて流れ出てきた抽出液が，下側の第二連結凸部３ｂに沿って，当該下側の第二連結凸部３ｂの頂点から下方へ滴下し，ドリップされる。
なお，隙間をより大きく調整することにより，ドリッパーヘッド部材２’での蒸らしをあまり行うことなく，ほとんどそのままの勢いで，ドリップする態様とすることができる。
【００３８】
以上のように，本実施の形態の茶葉用ドリッパー１を使用すれば，茶葉の種類に応じたドリップが可能となる。
【００３９】
なお，本実施の形態においては，ジョイント部材３が３つの通液孔３ｈを有する場合を例に挙げて説明したが，必ずしもこのような構成に限定されるものではない。通液孔の個数は，１つであっても，２つであっても，４つ以上であってもよい。
【００４０】
また，本実施の形態においては，ドリッパーヘッド部材２，２’が，上下端が開口した中空の略逆円錐状に形成されている場合を例に挙げて説明したが，必ずしもこのような構成に限定されるものではない。ドリッパーヘッド部材は，例えば，上下端が開口した中空の略逆多角錐状に形成されていてもよい。
【００４１】
また，本実施の形態においては，ドリッパーヘッド部材２，２’の連結凹部２ａ，２ａ’の内面形状が，略円錐状に形成されている場合を例に挙げて説明したが，必ずしもこのような構成に限定されるものではない。ドリッパーヘッド部材の連結凹部の内面形状は，例えば，略多角錐状に形成されていてもよい。
【００４２】
＜＜III．試作例＞＞
図１１に本発明の茶葉用ドリッパーの構成部材であるドリッパーヘッド部材の試作例の図（（ａ）は平面図，（ｂ）は底面図，（ｃ）は斜視図）を，図１２に当該茶葉用ドリッパーの構成部材であるジョイント部材の試作例の図（（ａ）は平面図，（ｂ）は底面図）を，図１３に当該茶葉用ドリッパーの構成部材である脚部材の試作例の斜視図を，図１４に脚部材の試作例にジョイント部材の試作例を静置した状態の斜視図（（ａ）は頂角が鋭角のドリッパーヘッド部材を連結する場合，（ｂ）は頂角が鈍角のドリッパーヘッド部材を連結する場合）を，図１５にドリッパーヘッド部材の試作例，ジョイント部材の試作例，脚部材の試作例を組み合わせた状態の斜視図を，それぞれ示す。
【００４３】
図１１，図１５に示すドリッパーヘッド部材は，磁器製素材からなり，上下端が開口した中空の略逆円錐状に形成されている。また，ドリッパーヘッド部材には，その下端部に連結凹部が設けられている。連結凹部は，その内面形状が略円錐状に形成されており，ジョイント部材の連結凸部に隙間をもって載置され，これにより，ドリッパーヘッド部材がジョイント部材に連結される。なお，中空部と連結凹部との連結部分には，お湯が滴下するための中心穴が形成されている。
【００４４】
図１２，図１４，図１５に示すジョイント部材は，木製素材からなり，円筒状の壁部（第一壁部および第二壁部）と，壁部の中央にその外周側に張り出して設けられた円板状のフランジと，壁部の内部に中央よりも下側に位置して設けられた円板状の仕切り板と，仕切り板の上下面の中央に設けられ，外面形状が略円錐状に形成された第一連結凸部および第二連結凸部と，第一連結凸部および第二連結凸部の周辺に形成された三つの通液孔と，を備えている。
ジョイント部材は，フランジを脚部材に載せることによって当該脚部材に静置され，上下をひっくり返して異なる形状のドリッパーヘッド部材を載置することにより（図１４，図１５を参照），茶葉の種類に応じたドリップを可能とする。
【００４５】
図１３から図１５に示すように，脚部材は，ある程度の剛性を有する一本のステンレス線を折り曲げ加工することによって形成されており，平行な前後２つの水平桿と，当該２つの水平桿を支持する左右２つの支持部と，を備えている。そして，ジョイント部材のフランジを水平桿に載置することにより，当該ジョイント部材を脚部材に静置できるようにされている。
【符号の説明】
【００４６】
１  茶葉用ドリッパー
２，２’  ドリッパーヘッド部材
２ａ，２ａ’  連結凹部
２ｂ，２ｂ’  中心穴
３  ジョイント部材
３ａ  第一連結凸部
３ｂ  第二連結凸部
３ｃ  壁部
３ｄ  第一壁部
３ｅ  第二壁部
３ｆ  フランジ
３ｇ  仕切り板
３ｈ  通液孔
４  脚部材
４ａ，４ｂ  水平桿
４ｃ，４ｄ  支持部
【図１】
2018064731.tif 000003
【図２】
2018064731.tif 000004
【図３】
2018064731.tif 000005
【図４】
2018064731.tif 000006
【図５】
2018064731.tif 000007
【図６】
2018064731.tif 000008
【図７】
2018064731.tif 000009
【図８】
2018064731.tif 000010
【図９】
2018064731.tif 000011
【図１０】
2018064731.tif 000012
【図１１】
2018064731.tif 000013
【図１２】
2018064731.tif 000014
【図１３】
2018064731.tif 000015
【図１４】
2018064731.tif 000016
【図１５】
2018064731.tif 000017